(57)【要約】【課題】  突出部を容易に切り離すことのできるポリ袋を提供する。【解決手段】  レジ袋１は、一端に開口部２が設けられた収納部３と、開口部２の両端で収納部３に連接する一組の持手部４ａ，４ｂと、開口部２の中央付近で収納部３に連接する一組の突出部５ａ，５ｂとを有する。持手部４ａと持手部４ｂ、突出部５ａと突出部５ｂは、それぞれ対向するように設けられている。突出部５ａ，５ｂと収納部３との間には直線状のミシン目６ａ，６ｂが設けられているので、結び合わされた突出部５ａ，５ｂを解かなくとも、ミシン目６ａ，６ｂより突出部５ａ，５ｂを切り離すことによって、収納部３から容易に商品を取り出すことができる。【選択図】      図１
0003110142.tif 000002
【実用新案登録請求の範囲】
【請求項１】
一端に開口部が設けられた収納部と、
前記開口部の両端で前記収納部に連接する一組の持手部と、
前記開口部の中央付近で前記収納部に連接し且つ対向して設けられた一組の突出部とを有するレジ袋であって、
前記突出部と前記収納部との間に直線状のミシン目が設けられていることを特徴とするレジ袋。
【請求項２】
一端に開口部が設けられた収納部と、
前記開口部の両端で前記収納部に連接する一組の持手部と、
前記開口部の中央付近で前記収納部に連接し且つ対向して設けられた一組の突出部とを有するレジ袋であって、
前記突出部と前記収納部との間に曲線状のミシン目が設けられていることを特徴とするレジ袋。
【請求項３】
前記突出部の先端部分には開孔部が設けられており、さらに前記突出部は前記先端部分を切り離すミシン目を有する請求項１または２に記載のレジ袋。
【考案の詳細な説明】
【技術分野】
【０００１】
本考案は、コンビニエンスストア、スーパーマーケットおよびファーストフード店などで利用されるレジ袋に関する。
【背景技術】
【０００２】
現在、コンビニエンスストア、スーパーマーケットおよびファーストフード店などでは、消費者が購入した商品をレジで袋に入れて提供することが行われている。こうした用途に使用される袋は、一般にレジ袋と称される。
【０００３】
図３（ａ）は、従来のレジ袋の平面図である。また、図３（ｂ）は、図３（ａ）のレジ袋の外観図である。
【０００４】
図３（ａ）および（ｂ）に示すように、レジ袋２１は、商品を入れる収納部２３を有している。また、収納部２３の上部には、持ち手となる持手部２４ａ，２４ｂが設けられている。さらに、持手部２４ａと持手部２４ｂの間に設けられた突出部２５ａ，２５ｂは、互いに結び合わせることによって、収納部２３に入れた商品が外部に落ちないようにすることを目的としている。
【考案の開示】
【考案が解決しようとする課題】
【０００５】
しかしながら、従来のポリ袋では、突出部を結んだ後に、消費者が商品を取り出したり、さらに商品を入れようとしたりする場合、結び目を容易に解くことが困難であった。このため、消費者は、解くのに時間がかかって苛立ったり、結び目を引き千切ったりすることとなって、突出部を利用し難いものとしていた。特に、高齢者や子供の間では、突出部は殆ど利用されていないのが実情である。こうしたことから、従来のレジ袋では、突出部を設けても、その機能が生かされていないという問題があった。
【０００６】
本考案はこのような問題点に鑑みてなされたものである。即ち、本考案の目的は、突出部を容易に切り離すことのできるポリ袋を提供することにある。
【０００７】
本考案の他の目的および利点は、以下の記載から明らかとなるであろう。
【課題を解決するための手段】
【０００８】
本願第１の考案は、一端に開口部が設けられた収納部と、開口部の両端で収納部に連接する一組の持手部と、開口部の中央付近で収納部に連接し且つ対向して設けられた一組の突出部とを有するレジ袋であって、突出部と収納部との間に直線状のミシン目が設けられていることを特徴とするレジ袋に関する。この場合、突出部の先端部分に開孔部を設け、さらに突出部に先端部分を切り離すミシン目を設けることができる。
【０００９】
また、本願第２の考案は、一端に開口部が設けられた収納部と、開口部の両端で収納部に連接する一組の持手部と、開口部の中央付近で収納部に連接し且つ対向して設けられた一組の突出部とを有するレジ袋であって、突出部と収納部との間に曲線状のミシン目が設けられていることを特徴とするレジ袋に関する。この場合、突出部の先端部分に開孔部を設け、さらに突出部に先端部分を切り離すミシン目を設けることができる。
【考案の効果】
【００１０】
本願第１の考案によれば、突出部と収納部との間に直線状のミシン目が設けられているので、突出部をミシン目より容易に切り離すことができる。
【００１１】
また、本願第２の考案によれば、突出部と収納部との間に曲線状のミシン目が設けられているので、突出部をミシン目より容易に切り離すことができる。
【考案を実施するための最良の形態】
【００１２】
実施の形態１．
図１（ａ）は、本実施の形態におけるレジ袋の平面図である。また、図１（ｂ）は、図１（ａ）のレジ袋の外観図である。
【００１３】
図１（ａ）および（ｂ）に示すように、レジ袋１は、一端に開口部２が設けられた収納部３と、開口部２の両端で収納部３に連接する一組の持手部４ａ，４ｂと、開口部２の中央付近で収納部３に連接する一組の突出部５ａ，５ｂとを有する。持手部４ａと持手部４ｂ、突出部５ａと突出部５ｂは、それぞれ対向するように設けられている。消費者は、購入した商品（図示せず）を開口部２から収納部３に入れ、突出部５ａ，５ｂを互いに結び合わせた後、持手部４ａ，４ｂを手に持って移動する。
【００１４】
本実施の形態においては、突出部５ａ，５ｂと収納部３との間に、直線状のミシン目６ａ，６ｂが設けられていることを特徴とする。このような構造とすることによって、突出部５ａ，５ｂを容易にレジ袋１から脱落させることができる。
【００１５】
すなわち、消費者は、結び合わされた突出部５ａ，５ｂを解かなくとも、ミシン目６ａ，６ｂより突出部５ａ，５ｂを切り離すことによって、収納部３から容易に商品を取り出すことができる。
【００１６】
尚、本実施の形態においては、突出部５ａ，５ｂの先端部分に開孔部を設けることができる。この場合、突出部５ａ，５ｂは、先端部分を切り離すミシン目を有することが好ましい。具体的には、図１（ａ）および（ｂ）に示すように、突出部５ａ，５ｂの先端部分７ａ，７ｂに開孔部８ａ，８ｂを設け、必要に応じて先端部分７ａ，７ｂが切り離せるように、ミシン目９ａ，９ｂをさらに設けることができる。ミシン目９ａ，９ｂは、直線状および曲線状のいずれであってもよい。
【００１７】
例えば、コンビニエンスストア、スーパーマーケットおよびファーストフード店などの店舗において、レジの横に釘などを設置しておけば、これに開孔部８ａ，８ｂを通すことによって複数のレジ袋１を掛けて置くことができる。すなわち、レジ袋１をレジの近くに予め用意しておくことができる。そして、消費者が商品を購入した際には、ミシン目９ａ，９ｂより先端部分７ａ，７ｂを切り離すことによって、商品をすぐにレジ袋１に入れることができる。尚、この場合、切り離された先端部分７ａ，７ｂは、店側に残ることになる。
【００１８】
本実施の形態における収納部、持手部および突出部は全て同じ材質とすることができる。すなわち、これらを有するレジ袋を一体的に成形した後、収納部と突出部との境界に直線状のミシン目を入れればよい。本実施の形態のレジ袋に適用可能な材料としては、従来のレジ袋に使用されている一般的な材料を挙げることができ、熱可塑性樹脂および熱硬化性樹脂のいずれを用いてもよい。
【００１９】
実施の形態２．
図２（ａ）は、本実施の形態におけるレジ袋の平面図である。また、図２（ｂ）は、図２（ａ）のレジ袋の外観図である。
【００２０】
レジ袋１１は、実施の形態１と同様に、一端に開口部１２が設けられた収納部１３と、開口部１２の両端で収納部１３に連接する一組の持手部１４ａ，１４ｂと、開口部１２の中央付近で収納部１３に連接する一組の突出部１５ａ，１５ｂとを有する。持手部１４ａと持手部１４ｂ、突出部１５ａと突出部１５ｂは、それぞれ対向するように設けられている。
【００２１】
本実施の形態が実施の形態１と異なる点は、突出部１５ａ，１５ｂと収納部１３との間に、曲線状のミシン目１６ａ，１６ｂが設けられている点にある。このような構造とすることによっても、突出部１５ａ，１５ｂを容易にレジ袋１１から脱落させることができる。
【００２２】
尚、本実施の形態においても、実施の形態１と同様に、突出部１５ａ，１５ｂの先端部分に開孔部を設けることができる。この場合、突出部１５ａ，１５ｂは、先端部分を切り離すミシン目を有することが好ましい。具体的には、図２（ａ），（ｂ）に示すように、突出部１５ａ，１５ｂの先端部分１７ａ，１７ｂに開孔部１８ａ，１８ｂを設け、必要に応じて先端部分１７ａ，１７ｂが切り離せるように、ミシン目１９ａ，１９ｂをさらに設けることができる。ミシン目１９ａ，１９ｂは、直線状および曲線状のいずれであってもよい。
【００２３】
本実施の形態における収納部、持手部および突出部は、実施の形態１と同様に、全て同じ材質とすることができる。すなわち、これらを有するレジ袋を一体的に成形した後、収納部と突出部との境界に曲線状のミシン目を入れればよい。本実施の形態のレジ袋に適用可能な材料としては、従来のレジ袋に使用されている一般的な材料を挙げることができ、熱可塑性樹脂および熱硬化性樹脂のいずれを用いてもよい。
【００２４】
尚、本考案は上記各実施の形態に限定されるものではなく、本考案の趣旨を逸脱しない範囲において、種々変形して実施することができる。例えば、実施の形態１および２においては、突出部と収納部との間に直線状または曲線状のミシン目を設ける例について述べたが、本考案はこれに限られるものではない。本考案は、突出部と収納部との間に、突出部をレジ袋の本体から脱落可能な切り離し部が設けられていればよい。
【図面の簡単な説明】
【００２５】
【図１】実施の形態１におけるレジ袋の（ａ）は平面図、（ｂ）は外観図である。
【図２】実施の形態２におけるレジ袋の（ａ）は平面図、（ｂ）は外観図である。
【図３】従来のレジ袋の（ａ）は平面図、（ｂ）は外観図である。
【符号の説明】
【００２６】
１，１１，２１  レジ袋
２，１２  開口部
３，１３，２３  収納部
４ａ，４ｂ，１４ａ，１４ｂ，２４ａ，２４ｂ  持手部
５ａ，５ｂ，１５ａ，１５ｂ、２５ａ，２５ｂ  突出部
６ａ，６ｂ，９ａ，９ｂ，１６ａ，１６ｂ，１９ａ，１９ｂ  ミシン目
７ａ，７ｂ，１７ａ，１７ｂ  先端部
８ａ，８ｂ，１８ａ，１８ｂ  開孔部
【図１】
0003110142.tif 000003
【図２】
0003110142.tif 000004
【図３】
0003110142.tif 000005